(57)【要約】【課題】複数のプロジェクターの操作を簡略化できる操作方法、操作プログラム及び操作装置を提供すること。【解決手段】マルチプロジェクションシステムを構成する複数のプロジェクターを操作装置により操作する操作方法であって、複数のプロジェクターのそれぞれから識別情報を取得し、識別情報が取得された複数のプロジェクターのそれぞれを示す図柄、及び、当該複数のプロジェクターの位置に応じた複数の設定領域を含む設定画面を表示し、複数の設定領域のうちのいずれかに図柄が配置されると、複数のプロジェクターのうち当該図柄に対応するプロジェクターの識別情報と、当該図柄が配置された設定領域とを関連付け、図柄が配置された設定領域が選択されると、複数のプロジェクターのうち、選択された設定領域に応じたプロジェクターを操作対象として選択する。【選択図】図５
2014107713.tif 000002
【特許請求の範囲】
【請求項１】
マルチプロジェクションシステムを構成する複数のプロジェクターを操作装置により操作する操作方法であって、
前記複数のプロジェクターのそれぞれから識別情報を取得し、
前記識別情報が取得された前記複数のプロジェクターのそれぞれを示す図柄、及び、当該複数のプロジェクターの位置に応じた複数の設定領域を含む設定画面を表示し、
前記複数の設定領域のうちのいずれかに前記図柄が配置されると、前記複数のプロジェクターのうち当該図柄に対応するプロジェクターの識別情報と、当該図柄が配置された前記設定領域とを関連付け、
前記図柄が配置された前記設定領域が選択されると、前記複数のプロジェクターのうち、選択された前記設定領域に応じたプロジェクターを操作対象として選択する
ことを特徴とする操作方法。
【請求項２】
請求項１に記載の操作方法において、
前記設定画面の表示時に前記図柄が選択されると、前記複数のプロジェクターのうち、選択された前記図柄に応じたプロジェクターに、当該プロジェクターが選択されていることを示す表示を実施させる操作情報を送信する
ことを特徴とする操作方法。
【請求項３】
請求項１又は請求項２に記載の操作方法において、
前記設定画面を表示する前に、前記複数のプロジェクターの配置を選択させる選択画面を表示する
ことを特徴とする操作方法。
【請求項４】
請求項１から請求項３のいずれかに記載の操作方法において、
前記複数のプロジェクターのそれぞれに、同じ色調の画像を投射させる操作情報を送信し、
前記複数のプロジェクターのうち、前記操作対象に設定されたプロジェクターにより投射される投射画像の色調を補正する色調補正画面を表示し、
前記色調補正画面に対する入力操作に応じて、前記投射画像の色調を補正させる操作情報を、前記操作対象として選択されたプロジェクターに送信する
ことを特徴とする操作方法。
【請求項５】
請求項１から請求項４のいずれかに記載の操作方法において、
前記操作対象に設定されたプロジェクターによる投射画像の端部にブレンド領域を設定するブレンド領域設定画面を表示し、
前記ブレンド領域設定画面に対する入力操作に応じて、前記ブレンド領域の位置及びサイズを示す操作情報を、前記操作対象として選択されたプロジェクターに送信する
ことを特徴とする操作方法。
【請求項６】
請求項１から請求項５のいずれかに記載の操作方法において、
前記操作対象に設定されたプロジェクターにより形成される画像の形状に応じた図形を含み、当該プロジェクターにより被投射面上に投射された投射画像の形状を補正する形状補正画面を表示し、
前記形状補正画面に含まれる前記図形の端縁の移動操作に応じて、前記投射画像の形状を補正させる操作情報を、前記操作対象として選択されたプロジェクターに送信する
ことを特徴とする操作方法。
【請求項７】
請求項１から請求項６のいずれかに記載の操作方法において、
前記操作対象に設定されたプロジェクターにより形成される画像の形状に応じた図形、及び、前記図形内に設定された複数のポイントを含み、当該プロジェクターにより被投射面上に投射された投射画像の歪みを補正する面内歪み補正画面を表示し、
前記面内歪み補正画面に含まれる前記複数のポイントのいずれかの移動操作に応じて、前記投射画像における当該ポイントに応じた部位の歪みを補正させる操作情報を、前記操作対象として選択されたプロジェクターに送信する
ことを特徴とする操作方法。
【請求項８】
マルチプロジェクションシステムを構成する複数のプロジェクターを操作する操作装置により実行される操作プログラムであって、
前記操作装置に、
前記複数のプロジェクターのそれぞれから識別情報を取得させ、
前記識別情報が取得された前記複数のプロジェクターのそれぞれを示す図柄、及び、当該複数のプロジェクターの位置に応じた複数の設定領域を含む設定画面を表示させ、
前記複数の設定領域のうちのいずれかに前記図柄が配置されると、前記複数のプロジェクターのうち当該図柄に対応するプロジェクターの識別情報と、当該図柄が配置された前記設定領域とを関連付けさせ、
前記図柄が配置された前記設定領域が選択されると、前記複数のプロジェクターのうち、選択された前記設定領域に応じたプロジェクターを操作対象として選択させる
ことを特徴とする操作プログラム。
【請求項９】
マルチプロジェクションシステムを構成する複数のプロジェクターを操作する操作装置であって、
前記複数のプロジェクターのそれぞれから識別情報を取得する識別情報取得部と、
前記識別情報が取得された前記複数のプロジェクターのそれぞれを示す図柄、及び、当該複数のプロジェクターの位置に応じた複数の設定領域を含む設定画面を表示する設定画面表示部と、
前記複数の設定領域のうちのいずれかに前記図柄が配置されると、前記複数のプロジェクターのうち当該図柄に対応するプロジェクターの識別情報と、当該図柄が配置された前記設定領域とを関連付ける関連付け部と、
前記図柄が配置された前記設定領域が選択されると、前記複数のプロジェクターのうち、選択された前記設定領域に応じたプロジェクターを操作対象として選択する操作対象選択部と、を有する
ことを特徴とする操作装置。
【発明の詳細な説明】
【技術分野】
【０００１】
本発明は、操作方法、操作プログラム及び操作装置に関し、特に、マルチプロジェクションシステムを構成する複数のプロジェクターを操作する操作装置を用いて実施される操作方法、当該操作装置により実行される操作プログラム、及び、操作装置に関する。
【背景技術】
【０００２】
従来、画像を投射するプロジェクターを複数備えたマルチプロジェクションシステムが知られており、当該マルチプロジェクションシステムによる画像の投射方式として、スタッキング方式、及び、タイリング方式が知られている。
前者の方式では、各プロジェクターは同じ領域に重ね合わせるように画像を投射する。このような方式によれば、比較的高輝度な画像を表示できる。
後者の方式では、例えば、各プロジェクターは縦横に並ぶように画像を投射する。このような方式によれば、比較的大きな画像を高精細に表示できる。
【０００３】
ところで、このようなマルチプロジェクションシステムにおいては、各プロジェクターに対する調整や設定操作を行うために、リモートコントローラー（以下「リモコン」と略す場合がある）が利用される場合が多い。
これに対し、各プロジェクターに固有の番号（識別番号）を設定した上で、操作対象のプロジェクターをリモコンにより操作するマルチプロジェクションシステムが知られている（例えば、特許文献１参照）。
【０００４】
この特許文献１に記載のマルチプロジェクションシステムでは、リモコン等により各プロジェクターに識別番号が設定される。そして、使用者がプロジェクターに対応する識別番号をリモコンに入力すると、当該リモコンから、入力された識別番号に応じた指定コマンドが送信される。この指定コマンドは、各プロジェクターにより受信されるが、各プロジェクターは、受信された指定コマンドと予め設定された識別番号とが一致する場合には、自身が操作対象であることを認識し、一致しない場合には、自身が操作対象ではないと認識する。このような操作対象の設定後にリモコンを操作することで、使用者が操作対象のプロジェクターを遠隔操作することが可能となる。
【先行技術文献】
【特許文献】
【０００５】
【特許文献１】特開２００８−６１１６０号公報
【発明の概要】
【発明が解決しようとする課題】
【０００６】
しかしながら、前述の特許文献１に記載のマルチプロジェクションシステムでのリモコンによる操作方法では、使用者が識別番号をプロジェクターに設定する必要があるため、プロジェクターを操作可能となるまでの操作が面倒であるという問題がある。このような問題は、各プロジェクターの識別子（例えば、ＩＰアドレス）をリモコンに入力しておき、入力されている識別子から選択することで操作対象のプロジェクターを設定する場合も同様である。
また、上記操作方法では、それぞれのプロジェクターの識別番号を使用者が覚えている必要があり、操作が面倒であるという問題がある。
【０００７】
本発明は、複数のプロジェクターの操作を簡略化できる操作方法、操作プログラム及び操作装置を提供することを目的の一つとする。
【課題を解決するための手段】
【０００８】
本発明の第１態様に係る操作方法は、マルチプロジェクションシステムを構成する複数のプロジェクターを操作装置により操作する操作方法であって、前記複数のプロジェクターのそれぞれから識別情報を取得し、前記識別情報が取得された前記複数のプロジェクターのそれぞれを示す図柄、及び、当該複数のプロジェクターの位置に応じた複数の設定領域を含む設定画面を表示し、前記複数の設定領域のうちのいずれかに前記図柄が配置されると、前記複数のプロジェクターのうち当該図柄に対応するプロジェクターの識別情報と、当該図柄が配置された前記設定領域とを関連付け、前記図柄が配置された前記設定領域が選択されると、前記複数のプロジェクターのうち、選択された前記設定領域に応じたプロジェクターを操作対象として選択することを特徴とする。
【０００９】
なお、識別情報は、各プロジェクターを識別可能な情報であり、例えば、ＩＰアドレス等のネットワークＩＤや、製造番号等を例示できる。また、設定画面の表示及び当該設定画面に対する入力操作の検出は、タッチパネルにより実施されることが望ましい。
上記第１態様によれば、各プロジェクターの配置に応じた設定領域に当該プロジェクターに応じた図柄を移動する操作を行うことで、当該設定領域とプロジェクターの識別情報との関連付けを行うことができる。そして、複数の設定領域のうちのいずれかを選択することで、選択された設定領域に配置された図柄に応じたプロジェクターを操作対象として選択できる。これによれば、使用者が操作装置に各プロジェクターの識別情報を入力する手間を省くことができる他、操作対象のプロジェクターの識別情報を覚えておく必要がない。従って、各プロジェクターの操作を簡略化できる。
【００１０】
上記第１態様では、前記設定画面の表示時に前記図柄が選択されると、前記複数のプロジェクターのうち、選択された前記図柄に応じたプロジェクターに、当該プロジェクターが選択されていることを示す表示を実施させる操作情報を送信することが好ましい。
上記第１態様によれば、設定領域との関連付けを行っているプロジェクターがどのプロジェクターであるのかを使用者が把握しやすくすることができる。従って、プロジェクターの操作をより簡略化できる。
なお、上記表示として、選択された前記図柄に応じたプロジェクターにより投射される画像を点滅させる表示を例示できる。このような表示によれば、当該図柄に応じたプロジェクターの投射画像を目立たせることができるので、当該プロジェクターを確実に把握しやすくすることができる。
【００１１】
上記第１態様では、前記設定画面を表示する前に、前記複数のプロジェクターの配置を選択させる選択画面を表示することが好ましい。
上記第１態様によれば、選択画面により、複数のプロジェクターの配置を選択できるので、設定画面に含まれる設定領域の位置を、各プロジェクターの実際の配置状態に応じて確実に設定できる。従って、各プロジェクターの配置位置に応じた設定領域と、当該各プロジェクターとの関連付けを確実に行うことができる他、操作したいプロジェクターを操作対象として確実かつ簡易に選択できる。
【００１２】
上記第１態様では、前記複数のプロジェクターのそれぞれに、同じ色調の画像を投射させる操作情報を送信し、前記複数のプロジェクターのうち、前記操作対象に設定されたプロジェクターにより投射される投射画像の色調を補正する色調補正画面を表示し、前記色調補正画面に対する入力操作に応じて、前記投射画像の色調を補正させる操作情報を、前記操作対象として選択されたプロジェクターに送信することが好ましい。
【００１３】
ここで、プロジェクターには個体差があるので、同じ色調の画像を各プロジェクターにより投射させる場合であっても、投射された各画像の色調が異なる場合がある。
これに対し、上記第１態様によれば、各プロジェクターにより同じ色調の画像が投射されている状態で、色調補正画面に対する操作により、操作対象として選択されたプロジェクターの投射画像の色調を個別に調整できる。従って、各プロジェクターによる投射画像の色調を簡易に揃えることができる。
【００１４】
上記第１態様では、前記操作対象に設定されたプロジェクターによる投射画像の端部にブレンド領域を設定するブレンド領域設定画面を表示し、前記ブレンド領域設定画面に対する入力操作に応じて、前記ブレンド領域の位置及びサイズを示す操作情報を、前記操作対象として選択されたプロジェクターに送信することが好ましい。
【００１５】
ここで、前述のタイリング方式のマルチプロジェクションシステムでは、各投射画像の端部同士を重ね合わせることで、当該各投射画像の繋ぎ目を目立たなくさせる場合がある。しかしながら、各投射画像において重ね合わせた領域の輝度を調整しないと、当該領域の輝度が高くなってしまい、当該領域が目立ってしまう。このため、当該領域の輝度を調整するブレンド処理が行われる。このような領域は、ブレンド領域と呼ばれる。
一方、当該領域の位置及びサイズは、各プロジェクターによる投射画像の位置に応じて調整する必要がある。
【００１６】
これに対し、上記第１態様によれば、ブレンド領域設定画面に対する入力操作に応じて、上記ブレンド領域の位置及びサイズを示す操作情報が、操作対象として選択されたプロジェクターに送信される。これによれば、使用者が、当該ブレンド領域設定画面を見ながら、任意の位置に任意の大きさのブレンド領域を簡易に設定できる。従って、各プロジェクターにより、上記繋ぎ目が目立たない画像を適切に投射できる。
【００１７】
上記第１態様では、前記操作対象に設定されたプロジェクターにより形成される画像の形状に応じた図形を含み、当該プロジェクターにより被投射面上に投射された投射画像の形状を補正する形状補正画面を表示し、前記形状補正画面に含まれる前記図形の端縁の移動操作に応じて、前記投射画像の形状を補正させる操作情報を、前記操作対象として選択されたプロジェクターに送信することが好ましい。
【００１８】
なお、補正される投射画像の歪みとしては、台形歪み及び弓形歪みが挙げられる。
上記第１態様によれば、形状補正画面に含まれる図形の端縁を移動させる移動操作を行うことで、当該移動操作に応じて投射画像の形状を補正させる操作情報が、操作対象のプロジェクターに送信される。これによれば、使用者が、投射画像を観察しながら、当該投射画像において補正が必要な部位に応じた図形の端縁を移動させることで、当該投射画像の形状を補正させる操作を簡易に行うことができる。従って、当該投射画像の形状補正操作を簡易に実施できるとともに、投射画像を適切な形状に補正できる。
【００１９】
上記第１態様では、前記操作対象に設定されたプロジェクターにより形成される画像の形状に応じた図形、及び、前記図形内に設定された複数のポイントを含み、当該プロジェクターにより被投射面上に投射された投射画像の歪みを補正する面内歪み補正画面を表示し、前記面内歪み補正画面に含まれる前記複数のポイントのいずれかの移動操作に応じて、前記投射画像における当該ポイントに応じた部位の歪みを補正させる操作情報を、前記操作対象として選択されたプロジェクターに送信することが好ましい。
【００２０】
上記第１態様によれば、面内歪み補正画面において、プロジェクターにより形成される画像に応じた図形内に設定された複数のポイントのうち、例えば、投射画像において歪みが生じている部位に応じたポイントを移動する入力操作を行うことで、当該入力操作に応じた操作情報が、操作対象のプロジェクターに送信される。これによれば、使用者が、投射画像において歪みが生じている部位を確認し、当該部位に応じた位置のポイントを、歪みが解消される方向に移動させることで、投射画像において生じた歪みを解消できる。従って、歪みを補正する入力操作を簡易に実施できる。
【００２１】
なお、面内歪み補正画面にて表示される図形は格子であることが好ましく、また、当該面内歪み補正画面の表示時には、操作対象として選択されたプロジェクターに、当該格子と同じ画像を投射させることが好ましい。
これによれば、投射された格子と、面内歪み補正画面における格子とを比較することで、上記歪みが生じている部位を把握しやすくすることができる。また、上記ポイントが、格子を形成する複数の直線の交点に設定されている場合には、歪みの解消のために移動されるポイントを簡易かつ適切に選択できる。
【００２２】
本発明の第２態様に係る操作プログラムは、マルチプロジェクションシステムを構成する複数のプロジェクターを操作する操作装置により実行される操作プログラムであって、前記操作装置に、前記複数のプロジェクターのそれぞれから識別情報を取得させ、前記識別情報が取得された前記複数のプロジェクターのそれぞれを示す図柄、及び、当該複数のプロジェクターの位置に応じた複数の設定領域を含む設定画面を表示させ、前記複数の設定領域のうちのいずれかに前記図柄が配置されると、前記複数のプロジェクターのうち当該図柄に対応するプロジェクターの識別情報と、当該図柄が配置された前記設定領域とを関連付けさせ、前記図柄が配置された前記設定領域が選択されると、前記複数のプロジェクターのうち、選択された前記設定領域に応じたプロジェクターを操作対象として選択させることを特徴とする。
上記第２態様によれば、当該操作プログラムを操作装置が実行することにより、前述の第１態様に係る操作方法と同様の効果を奏することができる。
【００２３】
本発明の第３態様に係る操作装置は、マルチプロジェクションシステムを構成する複数のプロジェクターを操作する操作装置であって、前記複数のプロジェクターのそれぞれから識別情報を取得する識別情報取得部と、前記識別情報が取得された前記複数のプロジェクターのそれぞれを示す図柄、及び、当該複数のプロジェクターの位置に応じた複数の設定領域を含む設定画面を表示する設定画面表示部と、前記複数の設定領域のうちのいずれかに前記図柄が配置されると、前記複数のプロジェクターのうち当該図柄に対応するプロジェクターの識別情報と、当該図柄が配置された前記設定領域とを関連付ける関連付け部と、前記図柄が配置された前記設定領域が選択されると、前記複数のプロジェクターのうち、選択された前記設定領域に応じたプロジェクターを操作対象として選択する操作対象選択部と、を有することを特徴とする。
上記第３態様によれば、前述の第１態様に係る操作方法を実施する操作装置と同様の効果を奏することができる。
【図面の簡単な説明】
【００２４】
【図１】本発明の一態様に係るマルチプロジェクションシステムを示す模式図。
【図２】前記実施形態におけるプロジェクターの構成を示すブロック図。
【図３】前記実施形態における操作装置の構成を示すブロック図。
【図４】前記実施形態における入力画面のレイアウトを説明する図。
【図５】前記実施形態における操作対象設定処理を示すフローチャート。
【図６】前記実施形態における投影形式選択画面の一例を示す図。
【図７】前記実施形態における操作対象設定画面の一例を示す図。
【図８】前記実施形態における投射画像の一例を示す図。
【図９】前記実施形態における設定領域へのアイコンの設定状態を示す図。
【図１０】前記実施形態における操作対象選択画面の一例を示す図。
【図１１】前記実施形態における投射位置調整画面の一例を示す図。
【図１２】前記実施形態におけるズーム調整画面の一例を示す図。
【図１３】前記実施形態におけるフォーカス調整画面の一例を示す図。
【図１４】前記実施形態における台形歪み補正画面の一例を示す図。
【図１５】前記実施形態における弓形歪み補正画面の一例を示す図。
【図１６】前記実施形態における面内歪み補正画面の一例を示す図。
【図１７】前記実施形態におけるポイントが移動された後の面内歪み補正画面の一例を示す図。
【図１８】前記実施形態におけるブレンド領域設定画面の一例を示す図。
【図１９】前記実施形態における色調補正画面の一例を示す図。
【図２０】前記実施形態における色調設定キーの入力後に表示される操作対象選択画面及び各プロジェクターの投射画像を示す図。
【図２１】前記実施形態における操作対象の選択後に表示される色調補正画面と、当該色調補正画面により輝度及び色調が補正された投射画像とを示す図。
【発明を実施するための形態】
【００２５】
［マルチプロジェクションシステムの概略構成］
以下、本発明の一実施形態について、図面に基づいて説明する。
図１は、本実施形態に係るマルチプロジェクションシステム１を示す模式図である。
本実施形態に係るマルチプロジェクションシステム１は、タイリング方式のマルチプロジェクションシステムとして構成され、図１に示すように、同一ネットワーク上に位置する複数のプロジェクター２及び操作装置３（図２参照）を備える。
なお、本実施形態では、マルチプロジェクションシステム１は、縦横に２台ずつ配置された合計４台のプロジェクター２（２Ａ〜２Ｄ）を備える。これらプロジェクター２Ａ〜２Ｄによる投射画像ＰＰ（ＰＰ１〜ＰＰ４）の一部は互いに重ね合わされており、これら投射画像ＰＰ１〜ＰＰ４により、１つの画像がスクリーンＳＣの被投射面ＳＣ１上に表示される。
【００２６】
［プロジェクターの構成］
図２は、プロジェクター２の構成を示すブロック図である。
各プロジェクター２は、後述する操作装置３から受信される操作情報に基づいて動作し、ＰＣ（Personal Computer）等の画像出力装置（図示省略）から受信される画像情報（画像信号及び画像データを含む）に応じた画像を被投射面ＳＣ１上に投射する。このようなプロジェクター２は、図２に示すように、画像投射装置２１、送受信装置２２及び制御装置２３を備える。
【００２７】
画像投射装置２１は、制御装置２３から入力される画像信号に応じた画像を形成及び投射する。この画像投射装置２１は、光源装置２１１、光変調装置２１２、投射光学装置２１３及び投射調整装置２１４を備える。
光源装置２１１は、光変調装置２１２を照明する。この光源装置２１１の構成としては、光源ランプ及び反射鏡を備える構成や、光源ランプに代えてＬＥＤ（Light Emitting Diode）及びＬＤ（Laser Diode）等の固体光源を有する構成を採用できる。
【００２８】
光変調装置２１２は、光源装置２１１から出射された光を変調して、制御装置２３から入力される画像信号に応じた画像を形成する。このような光変調装置２１２として、本実施形態では、光変調素子としての液晶パネルと、当該液晶パネルを前記画像信号に応じて駆動させる駆動装置とを備えた構成が採用されている。しかしながら、これに限らず、マイクロミラーを用いたデバイス等、液晶パネル以外の光変調素子を備えた光変調装置を採用してもよい。
投射光学装置２１３は、光変調装置２１２により形成された画像を被投射面ＳＣ１上に拡大投射する。このような投射光学装置２１３として、鏡筒と、当該鏡筒内に配置された複数のレンズとを有する組レンズを例示できる。なお、当該複数のレンズには、ズームレンズ及びフォーカスが含まれる。
【００２９】
投射調整装置２１４は、制御装置２３による制御の下で動作する。この投射調整装置２１４は、投射光学装置２１３を構成するズームレンズ及びフォーカスレンズを移動させて、投射画像のズーム状態及びフォーカス状態を調整する。また、投射調整装置２１４は、投射光学装置２１３により投射される光束（画像を形成する光束）の中心軸に直交する方向に当該投射光学装置２１３を移動させて、当該光束の照射位置（すなわち、画像の投射位置）を調整する。このような投射調整装置２１４は、上記レンズ及び投射光学装置２１３全体を移動させるモーター等の駆動手段と、制御装置２３から入力される制御信号に基づいて駆動手段の動作を制御する制御手段とを備えた構成を例示できる。
【００３０】
送受信装置２２は、前述の画像出力装置から画像情報を受信する他、後述する操作装置３から操作情報を受信して、これら画像情報及び操作情報を制御装置２３に出力する。また、送受信装置２２は、制御装置２３から入力される情報を、外部機器（例えば、操作装置３）に送信する。このような送受信装置２２としては、本実施形態では、無線ＬＡＮ（Local Area Network）モジュールにより構成されている。しかしながら、これに限らず、送受信装置２２は、有線ＬＡＮモジュールやＵＳＢ（Universal Serial Bus）モジュール等、他の構成により外部機器との間で情報を送受信する構成としてもよい。また、画像情報を受信するモジュールと、操作情報を受信するモジュールとが異なっていてもよい。
【００３１】
制御装置２３は、ＣＰＵ（Central Processing Unit）やメモリー等が実装された回路基板として構成されている。この制御装置２３は、メモリーに記憶されたプログラムをＣＰＵが実行することで、プロジェクター２全体の動作を自律的に、或いは、操作装置３から受信される操作情報に基づいて制御する。このような制御装置２３は、上記メモリーにより構成される記憶部２３１の他、上記プログラムを実行するＣＰＵにより実現される機能部である操作情報判定部２３２、機器情報送信部２３３、画像処理部２３４、画像補正部２３５及び動作制御部２３６を有する。
【００３２】
記憶部２３１は、プロジェクター２の動作に必要なプログラム及びデータを記憶している。例えば、このようなデータとして、記憶部２３１は、プロジェクター２の種別（装置の種別）及び当該プロジェクター２固有の識別情報を含む機器情報を記憶している。このような識別情報として、本実施形態では、記憶部２３１は、当該プロジェクター２のＩＰアドレスを記憶している。また、記憶部２３１は、画像情報に応じた画像が描画されるフレームメモリーを有する。
【００３３】
操作情報判定部２３２は、受信された操作情報の種別及び内容を判定する。
機器情報送信部２３３は、操作情報判定部２３２により、機器情報を要求する操作情報が受信されたと判定されると、送受信装置２２を介して、記憶部２３１に記憶された上記機器情報を要求元の装置に送信する。
【００３４】
画像処理部２３４は、受信された画像情報を処理して、当該画像情報に応じた画像を記憶部２３１のフレームメモリーに描画する。
画像補正部２３５は、フレームメモリーに描画された画像に対して、受信された操作情報に応じた補正処理を実施する。このような補正処理として、台形歪み補正及び弓型歪み補正等の形状補正が挙げられる。この他、当該補正処理として、描画された画像の局所的な歪みを補正する面内歪み補正（ポイント補正）、色調補正、及び、ブレンド処理が挙げられる。なお、ブレンド処理とは、並列配置された投射画像同士が重なる領域の輝度を、重ならない領域の輝度と一致させるように調整する処理である。これら補正処理は、操作情報の受信に応じて実施される他、自律的に実施される場合もある。
【００３５】
動作制御部２３６は、記憶部２３１に記憶されたプログラムや、受信された操作情報に基づいて、プロジェクター２の動作を制御する。例えば、動作制御部２３６は、フレームメモリーに描画された画像に応じた画像信号を光変調装置２１２に出力して、当該光変調装置を駆動させる。また、動作制御部２３６は、投射調整装置２１４を動作させる。
【００３６】
［操作装置の構成］
図３は、操作装置３の構成を示すブロック図である。
操作装置３は、使用者の入力操作に応じた操作情報をプロジェクター２に送信して、当該プロジェクター２を遠隔操作するものであり、本実施形態では、記憶された操作プログラムを実行する多機能携帯電話（いわゆるスマートフォン）により実現されている。このような操作装置３は、図３に示すように、表示手段３１、操作手段３２、送受信手段３３及び制御手段３４を有する。
表示手段３１及び操作手段３２は、本実施形態では、タッチパネルにより構成されている。これらのうち、表示手段３１は、制御手段３４の制御の下、所定の画像を表示する。また、操作手段３２は、使用者の入力操作を検出して、当該入力操作に応じた操作信号を制御手段３４に出力する。
【００３７】
送受信手段３３は、前述の送受信装置２２と同様に、ネットワーク上に位置する外部機器（例えば、プロジェクター２）との間で情報を送受信する。このような送受信手段３３は、本実施形態では当該外部機器と無線通信可能な構成とされており、例えば、無線ＬＡＮモジュールにより構成されている。
【００３８】
制御手段３４は、前述の制御装置２３と同様に、ＣＰＵ及びメモリー等を有し、操作装置３全体の動作を制御する。このような制御手段３４は、当該メモリーにより構成される記憶部３４１と、当該メモリーに記憶されたプログラムを実行するＣＰＵにより実現される機能部である表示制御部３４２、操作内容取得部３４３、操作内容判定部３４４、操作情報送信部３４５、機器情報取得部３４６、投影形式取得部３４７、関連付け部３４８及び操作対象選択部３４９を有する。
【００３９】
記憶部３４１は、操作装置３の動作に必要なプログラムやデータを記憶している。このようなプログラムとして、記憶部３４１は、例えば、ＯＳ（Operating System）や、プロジェクター２等の外部機器を操作するための操作プログラムを記憶している。また、当該データとして、記憶部３４１は、表示手段３１に表示される画面の画像データを記憶している他、外部機器から取得された機器情報等を記憶する。
【００４０】
表示制御部３４２は、表示手段３１による画像表示を制御する。具体的に、表示制御部３４２は、記憶部３４１に記憶された画像データに基づいて画像を生成し、生成した画像に応じた画像信号を表示手段３１に出力することで、当該画像を表示させる。このような表示制御部３４２は、使用者による入力操作（すなわち、操作内容取得部３４３により取得される使用者の操作内容）に応じて、表示させる画像を切り替える。すなわち、表示制御部３４２は、表示手段３１に各種画面を表示させる機能部である。このため、当該表示制御部３４２は、例えば、後述する操作対象設定画面Ｐ２（図７及び図９参照）を表示させる際には設定画面表示部として機能し、後述する操作対象選択画面Ｐ３（図１０参照）を表示させる際には選択画面表示部として機能する。
【００４１】
操作内容取得部３４３は、操作手段３２から入力される操作信号に基づいて、当該操作手段３２に対する操作内容を取得する。
操作内容判定部３４４は、取得された操作内容を適宜判定する。
操作情報送信部３４５は、操作内容判定部３４４により、取得された操作内容が外部機器（例えば、プロジェクター２）を操作するための入力操作を示すものであると判定されると、取得された操作内容に応じた操作情報を生成する。そして、操作情報送信部３４５は、生成した操作情報を、送受信手段３３を介して操作対象として選択された外部機器（例えば、プロジェクター２）に送信する。
【００４２】
機器情報取得部３４６は、操作装置３が接続されたネットワーク上に存在する外部機器（操作装置３と同一ネットワーク上に存在する外部機器）の機器情報を取得する。
例えば、機器情報取得部３４６は、操作情報送信部３４５により、当該ネットワーク上に存在する外部機器に対して確認用のパケットをブロードキャストし、当該外部機器の識別情報（ＩＰアドレス）を取得する。この後、機器情報取得部３４６は、取得された識別情報に基づいて、前述の機器情報を要求する操作情報を送信させる。そして、機器情報取得部３４６は、受信された機器情報に基づいて、操作装置３により操作可能な外部機器を検出し、検出された外部機器の機器情報を記憶部３４１に記憶させる。
このような機器情報取得部３４６により、操作装置３により操作可能なプロジェクター２の数と、当該プロジェクター２の識別情報を含む機器情報とが取得される。すなわち、機器情報取得部３４６は、本発明の識別情報取得部としても機能する。なお、本実施形態では、機器情報取得部３４６は、上記方法によりプロジェクター２の機器情報を取得する構成としているが、他の方法により取得する構成としてもよい。
【００４３】
投影形式取得部３４７は、後述する投影形式選択画面Ｐ１（図６参照）の表示時に、操作内容取得部３４３により取得された使用者の操作内容に基づいて、当該使用者により選択された投影形式を取得する。この投影形式は、プロジェクター２による投射画像の配列状態を示すとともに、当該プロジェクター２の配置状態を示している。
【００４４】
関連付け部３４８は、後述する操作対象設定画面Ｐ２（図７及び図９参照）の表示時に、取得された使用者の操作内容に基づいて、各プロジェクター２から取得された機器情報と、プロジェクター２の配置位置とを関連付ける。この関連付けにより、各プロジェクター２が、操作装置３により操作可能な外部機器となる。なお、当該関連付けの手法については、後に詳述する。
操作対象選択部３４９は、上記関連付けがなされたプロジェクター２のうち、後述する操作対象選択画面Ｐ３（図１０参照）にて使用者により選択されたプロジェクター２を操作対象（すなわち、操作情報の送信対象）に選択する。なお、操作対象選択部３４９は、各プロジェクター２を同時に操作する必要がある場合には、当該各プロジェクター２を操作対象として選択する。
【００４５】
［画面レイアウト］
図４は、入力画面Ｐのレイアウトを説明する図である。
ここで、表示制御部３４２により生成され、表示手段３１により表示される入力画面Ｐの構成について説明する。
入力画面Ｐには、図４に示すように、対象選択領域Ａ１、項目選択領域Ａ２及び操作領域Ａ３が設定されている。
対象切替領域Ａ１は、入力画面Ｐにおける左側上段に設定され、当該対象選択領域Ａ１には、ソフトウェアキーである対象選択キーＫ１が設定される。この対象選択キーＫ１には、マルチプロジェクションシステム１における各プロジェクター２の設置形態、すなわち、各プロジェクター２からの投射画像の配列形態が表記される。そして、当該対象選択キーＫ１が入力されると、前述の表示制御部３４２が、操作領域Ａ３に操作対象選択画面Ｐ３（図１０参照）を表示させる。
【００４６】
項目選択領域Ａ２は、入力画面Ｐにおける左側下段に設定され、当該項目選択領域Ａ２には、それぞれソフトウェアキーである複数の項目キーＫ２が設定されている。このような項目キーＫ２として、「レンズシフト」、「ズーム」、「フォーカス」、「台形補正」、「弓形補正」、「ポイント補正」、「ブレンディング」及び「マルチスクリーン」と表記されたキーが配置されている。これら項目キーＫ２のいずれかが入力されると、表示制御部３４２が、入力された項目キーＫ２を選択状態とする表示を実施するとともに、当該項目キーＫ２に応じた項目（調整内容）の操作画面を操作領域Ａ３に表示させる。なお、当該項目選択キーＫ２が入力された場合に表示される画面については、後に詳述する。
操作領域Ａ３は、入力画面Ｐにおける右側に設定され、当該操作領域Ａ３には、対象選択キーＫ１及び項目キーＫ２の入力に応じた操作画面が設定される。
【００４７】
［操作対象設定処理］
操作対象設定処理は、操作装置３が接続されたネットワーク上に存在する外部機器のうち、当該操作装置３により操作可能なプロジェクター２を検出し、当該プロジェクター２の識別情報と配置位置との関連付けを行うことで、当該プロジェクター２を操作装置３により操作可能な機器として設定する処理である。この操作対象設定処理は、操作装置３の電源がオンされた場合等において、使用者により操作対象設定処理を実行するための入力操作が行われた場合に、制御手段３４を構成するＣＰＵが上記操作プログラムに含まれる対象設定プログラムを実行することで実施される。
【００４８】
図５は、操作対象設定処理を示すフローチャートである。
操作対象設定処理では、図５に示すように、まず、機器情報取得部３４６が、操作装置３と同一ネットワーク上に存在し、かつ、当該操作装置３により操作可能なプロジェクター２の機器情報を取得する（ステップＳ１）。これにより、当該プロジェクター２の数及び識別情報を取得できる。
【００４９】
図６は、投影形式選択画面Ｐ１の一例を示す図である。
次に、表示制御部３４２が、図６に示す投影形式選択画面Ｐ１を表示手段３１に表示させる（ステップＳ２）。この投影形式選択画面Ｐ１は、本発明の選択画面の一例であり、当該投影形式選択画面Ｐ１では、操作可能なプロジェクター２の数に応じた投影形式が選択項目として、操作領域Ａ３に表示される。例えば、当該プロジェクター２が４台である場合、図６に示すように、３つの選択項目Ｐ１１〜Ｐ１３が表示される。
【００５０】
これらのうち、左側の選択項目Ｐ１１には、縦横に２台ずつ並んだプロジェクターの図柄が表記されている。また、中央の選択項目Ｐ１２には、縦方向に２台並んだプロジェクターの図柄が表記され、右側の選択項目Ｐ１３には、横方向に２台並んだプロジェクターの図柄が表記されている。これらの選択項目Ｐ１１〜Ｐ１３の中から、実際に用いられるプロジェクター２の投影形式に応じた選択項目を、使用者は選択できる。
なお、操作領域Ａ３には、上記選択項目Ｐ１１〜Ｐ１３の他に終了キーＦＫが設けられる。この終了キーＦＫは、現在表示されている画面を閉じて、対応する処理を終了させるためのソフトウェアキーである。
【００５１】
図５に戻り、ステップＳ２にて投影形式選択画面Ｐ１が表示されると、投影形式取得部３４７が、操作内容取得部３４３により取得された操作内容に基づいて、選択された選択項目から、上記投影形式を取得する（ステップＳ３）。
この後、表示制御部３４２は、取得された投影形式に基づいて、操作対象設定画面Ｐ２を表示する（ステップＳ４）。
【００５２】
図７は、操作対象設定画面Ｐ２の一例を示す図である。なお、図７では、選択項目Ｐ１１が選択された後に表示される操作対象設定画面Ｐ２を示している。
操作対象設定画面Ｐ２の操作領域Ａ３には、図７に示すように、選択された選択項目により示される投影形式に応じた複数の設定領域Ｐ２１と、それぞれプロジェクターの形状を模した図柄である複数のアイコンＰ２２と、前述の終了キーＦＫとが設定されている。
【００５３】
設定領域Ｐ２１は、取得された投影形式に応じて配列されており、上記選択項目Ｐ１１が選択された場合に表示される図６の操作対象設定画面Ｐ２では、縦横に２つずつ並んだ合計４つの設定領域Ｐ２１が設定されている。これら設定領域Ｐ２１には、それぞれ個別の対象ＩＤが設定されている。
複数のアイコンＰ２２は、それぞれ操作可能なプロジェクター２に対応するものであり、設定領域Ｐ２１の下方に横方向に並んで配置されている。これらアイコンＰ２２は、設定領域Ｐ２１への移動操作（例えば、ドラッグアンドドロップ）が可能である。
【００５４】
このような操作対象設定画面Ｐ２の表示時に、操作内容判定部３４４は、取得された使用者の操作内容に基づいて、アイコンＰ２２が操作（移動）されたか否かを判定する（ステップＳ５）。
このステップＳ５の判定処理にて、アイコンＰ２２は操作されていないと判定されると、制御手段３４は、処理をステップＳ１０に移行する。
【００５５】
図８は、アイコンＰ２２が選択されていることを示す表示が実施されている投射画像の一例を示す図である。
一方、ステップＳ５の判定処理にて、アイコンＰ２２が操作されたと判定されると、操作情報送信部３４５が、操作されたアイコンＰ２２に対応するプロジェクター２に、当該プロジェクター２が選択されていることを示す表示を実施させる操作情報を生成及び送信する（ステップＳ６）。
このような操作情報を受信したプロジェクター２は、例えば、図８における左上の投射画像ＰＰ１を斜線で示すように、当該投射画像ＰＰ１を点滅させる。この際、他のプロジェクター２による投射画像ＰＰ２〜ＰＰ４の点滅は行われない。これにより、現在設定操作中であるプロジェクター２の配置位置を使用者が確認できる。なお、当該設定操作において選択されているプロジェクター２を示す表示は、投射画像を点滅させる表示に限らず、例えば、設定操作中である旨のメッセージを投射画像に含める表示等、他の表示でもよい。
【００５６】
ステップＳ６の後、図５に示すように、操作内容判定部３４４が、取得された操作内容に基づいて、操作中のアイコンＰ２２が上記設定領域Ｐ２１のいずれかに設定されたか否かを判定する（ステップＳ７）。
このステップＳ７の判定処理にて、当該アイコンＰ２２がいずれの設定領域Ｐ２１にも移動されていないと判定されると、制御手段３４は、処理をステップＳ５に戻す。
【００５７】
図９は、使用者による設定領域Ｐ２１へのアイコンＰ２２の設定状態を示す図である。
一方、図９に示すように、画像の投射位置（すなわち、プロジェクター２の配置位置）に対応する設定領域Ｐ２１にアイコンＰ２２がドラッグアンドドロップされると、図５に示すステップＳ７の判定処理では、当該アイコンＰ２２が設定領域Ｐ２１に設定されたと判定される。この場合、関連付け部３４８が、当該アイコンＰ２２に対応するプロジェクター２の機器情報と、当該操作中のアイコンＰ２２が配置された位置の設定領域Ｐ２１とを関連付ける（ステップＳ８）。
具体的に、関連付け部３４８は、アイコンＰ２２に対応するプロジェクター２の識別情報と、当該アイコンＰ２２が配置された設定領域Ｐ２１の対象ＩＤとを、記憶部３４１に記憶された関連付けテーブルに登録する。これにより、設定領域Ｐ２１の位置（すなわち、プロジェクター２の配置位置）と、当該位置に配置されたプロジェクター２の識別情報とが関連付けられる。
【００５８】
このようなステップＳ８の後、操作情報送信部３４５が、関連付けが実施されたプロジェクター２に、当該プロジェクター２と配置位置との関連付けが終了したことを示す表示を実施させる操作情報を生成及び送信する（ステップＳ９）。
このような表示としては、例えば、投射画像の輝度を変化させた表示や、関連付けが終了した旨を示すメッセージやアイコンを投射画像に含める表示が挙げられる。
【００５９】
上記ステップＳ９の後、操作内容判定部３４４は、使用者の操作内容に基づいて、操作対象設定処理を終了する操作（例えば、終了キーＦＫの入力操作）が行われたか否かを判定する（ステップＳ１０）。
このステップＳ１０の判定処理にて、設定領域Ｐ２１に配置されていないアイコンＰ２２が存在する場合等、操作対象設定処理を終了する操作は行われていないと判定されると、制御手段３４は、処理をステップＳ５に戻す。
一方、ステップＳ１０の判定処理にて、全てのアイコンＰ２２が設定領域Ｐ２１に設定される等して、操作対象設定処理を終了する操作が行われたと判定されると、制御手段３４は、当該処理を終了する。
このような操作対象設定処理が実施され、各アイコンＰ２２が設定領域Ｐ２１に設定されることで、各プロジェクター２の配置位置と、当該プロジェクター２の識別情報とを簡易に関連付けできる。
【００６０】
［操作対象選択処理］
図１０は、操作対象選択画面Ｐ３の一例を示す図である。なお、図１０には、選択項目Ｐ１１の選択後に表示された操作対象設定画面Ｐ２にて、４つの設定領域Ｐ２１に対応する配置位置と、４つのアイコンＰ２２に対応するプロジェクター２の識別情報とが関連付けられた後に表示される操作対象選択画面Ｐ３が示されている。
前述の対象選択キーＫ１が入力されると、表示制御部３４２が、図１０に示す操作対象選択画面Ｐ３を表示手段３１に表示させる。
この操作対象選択画面Ｐ３の操作領域Ａ３には、前述の設定領域Ｐ２１内にアイコンＰ２２が配置された状態を模した図柄Ｐ３１が、各設定領域Ｐ２１の位置に応じて配設されている。すなわち、それぞれの図柄Ｐ３１は、アイコンＰ２２が配置された各設定領域Ｐ２１に対応する。
【００６１】
このような操作対象選択画面Ｐ３の表示時に、使用者により図柄Ｐ３１のいずれかがタップされて選択されると、操作内容取得部３４３により、使用者の操作内容が取得される。そして、操作対象選択部３４９が、タップされた図柄Ｐ３１の位置に応じたプロジェクター２を操作対象に選択する。例えば、図１０に示した操作対象選択画面Ｐ３の例では、右下の図柄Ｐ３１がタップされているので、当該図柄Ｐ３１に応じたプロジェクター２、すなわち、スクリーンＳＣの右下の領域に画像を投射するプロジェクター２Ｄが操作対象として選択される。
このようにして操作対象として選択されたプロジェクター２に対して、各種操作画面での入力操作に応じた操作情報が送信される。
【００６２】
なお、当該操作対象選択画面Ｐ３では、操作対象の選択処理の実施中であることを示すために、対象選択領域Ａ１が選択状態であることを示す表示がされている。具体的に、本実施形態では、当該対象選択領域Ａ１の外縁を太線で囲んだ表示がされている。しかしながら、このような表示に限らず、例えば、対象選択領域Ａ１の色を変更してもよい。
【００６３】
［プロジェクターの調整操作］
以下、項目選択領域Ａ２に配設された各項目キーＫ２に応じた項目の調整操作について、図１１〜図２１を用いて説明する。なお、以下の説明では、操作対象として選択されたプロジェクター２を対象プロジェクター２と略す場合がある。
【００６４】
［投射位置調整操作］
図１１は、投射位置調整画面Ｐ４の一例を示す図である。
「レンズシフト」と表記された項目キーＫ２が入力されると、表示制御部３４２により、図１１に示す投射位置調整画面Ｐ４が表示される。この投射位置調整画面Ｐ４は、対象プロジェクター２による画像の投射位置を調整するための画面である。
この投射位置調整画面Ｐ４の操作領域Ａ３には、現在の投射光学装置２１３の位置により投射される画像の位置が実線の矩形Ｐ４１で示されている。また、当該操作領域Ａ３には、当該画像の位置を基準位置として、投射光学装置２１３を移動することで画像の投射位置を調整可能な範囲が点線の矩形Ｐ４２で示されている。この矩形Ｐ４１は、点線の矩形Ｐ４２内でドラッグ可能である。なお、上記調整可能な範囲は、対象プロジェクター２から取得される。
【００６５】
また、点線の矩形Ｐ４２の周囲には、矩形Ｐ４１の位置を微調整可能なカーソルキーＣＫＵ，ＣＫＤ，ＣＫＬ，ＣＫＲが設けられている。これらのうち、カーソルキーＣＫＵ，ＣＫＤは、それぞれ矩形Ｐ４１を上方及び下方に移動させるキーであり、当該矩形Ｐ４２の上側及び下側にそれぞれ設けられる。また、カーソルキーＣＫＬ，ＣＬＲは、それぞれ矩形Ｐ４１を左方及び右方に移動させるキーであり、当該矩形Ｐ４２の左側及び右側に設けられる。これらカーソルキーＣＫＵ，ＣＫＤ，ＣＫＬ，ＣＫＲの入力によっても矩形Ｐ４１を操作可能である。
【００６６】
このような投射位置調整画面Ｐ４にて、矩形Ｐ４１に対するドラッグ操作、或いは、カーソルキーＣＫＵ，ＣＫＤ，ＣＫＬ，ＣＫＲの入力操作が行われると、図１１において二点鎖線で示すように、表示制御部３４２により当該矩形Ｐ４１の軌跡が表示される。そして、図示しない決定キーが入力されると、操作内容取得部３４３により、当該矩形Ｐ４１の元の位置からの移動方向及び移動量が取得され、操作情報送信部３４５が、当該移動方向及び移動量を含む操作情報を生成して、当該操作情報を対象プロジェクター２に送信する。
このような操作情報を受信した対象プロジェクター２では、当該操作情報に基づいて、動作制御部２３６が、投射調整装置２１４により投射光学装置２１３の位置を調整する。これにより、画像の投射位置が調整される。
【００６７】
［ズーム調整操作］
図１２は、ズーム調整画面Ｐ５の一例を示す図である。
「ズーム」と表記された項目キーＫ２が入力されると、表示制御部３４２により、図１２に示すズーム調整画面Ｐ５が表示される。このズーム調整画面Ｐ５は、対象プロジェクター２によるズーム状態を調整するための画面である。
このズーム調整画面Ｐ５の操作領域Ａ３には、図１２において実線で示すように、現在のズーム状態を示す矩形Ｐ５１が設定される。また、当該操作領域Ａ３には、ズーム状態の調整可能範囲を示す表示がされている。具体的に、図１２において点線で示すように、最大ズーム時の画像の寸法が、矩形Ｐ５１を囲む矩形Ｐ５２で表され、図１２において二点鎖線で示すように、最小ズーム時の画像の寸法が、矩形Ｐ５１の内側に矩形Ｐ５３で表されている。この矩形Ｐ５１の寸法は、最小ズーム時及び最大ズーム時の投射画像の寸法に対する現在の投射画像の寸法の比率に応じた大きさで表されている。なお、当該比率は、対象プロジェクター２から取得される。
また、矩形Ｐ５２の下側には、前述のカーソルキーＣＫＬ，ＣＫＲが設定されている。
【００６８】
このような矩形Ｐ５１は、ピンチイン又はピンチアウトにより、矩形Ｐ５２と矩形Ｐ５３との間で縮小又は拡大可能である。同様に、カーソルキーＣＫＬを入力することでも、当該矩形Ｐ５１を拡大でき、また、カーソルキーＣＫＲを入力することでも、当該矩形Ｐ５１を縮小できる。
このような表示状態の変更は、取得された操作内容に基づいて、表示制御部３４２により行われる。そして、操作情報送信部３４５が、取得された操作内容に基づいて、画像の拡大率又は縮小率を指定する操作情報を生成し、当該操作情報を対象プロジェクター２に送信する。
このような操作情報が受信された対象プロジェクター２では、動作制御部２３６が、当該操作情報に基づいて、投射調整装置２１４により投射光学装置２１３のズームレンズを移動させる。これにより、上記拡大率又は縮小率に応じた大きさに投射画像が調整される。
【００６９】
［フォーカス調整操作］
図１３は、フォーカス調整画面Ｐ６の一例を示す図である。
「フォーカス」と表記された項目キーＫ２が入力されると、表示制御部３４２により、図１３に示すフォーカス調整画面Ｐ６が表示される。このフォーカス調整画面Ｐ６は、対象プロジェクター２によるフォーカス状態を調整するための画面である。
このフォーカス調整画面Ｐ６の操作領域Ａ３には、１つの環Ｐ６１が設定されている他、当該環Ｐ６１の下方に前述のカーソルキーＣＫＬ，ＣＫＲが設定されている。
【００７０】
このようなフォーカス調整画面Ｐ６において、環Ｐ６１を回動させる入力操作が行われると、操作内容取得部３４３が、当該環Ｐ６１の操作方向及び操作量、すなわち、回動方向及び回動角を含む操作内容を取得する。そして、操作情報送信部３４５が、取得された操作内容に応じた操作情報を生成し、当該操作情報を対象プロジェクター２に送信する。
上記カーソルキーＣＫＬ，ＣＫＲが入力された場合も同様である。なお、カーソルキーＣＫＬに対する入力操作は、環Ｐ６１を左回り（反時計回り）に回動させる操作と認識され、また、カーソルキーＣＫＲに対する入力操作は、環Ｐ６１を右回り（時計回り）に回動させる操作と認識される。
このような操作情報が受信された対象プロジェクター２では、動作制御部２３６が、当該操作情報に基づいて、投射調整装置２１４により投射光学装置２１３のフォーカスレンズを移動させる。これにより、環Ｐ６１の回動方向及び回動量に応じた投射画像のフォーカス調整が実施される。
【００７１】
［台形歪み補正操作］
図１４は、台形歪み補正画面Ｐ７の一例を示す図である。
「台形補正」と表記された項目キーＫ２が入力されると、表示制御部３４２により、図１４に示す台形歪み補正画面Ｐ７が表示される。この台形歪み補正画面Ｐ７は、対象プロジェクター２に台形歪みを補正させるための画面であり、本発明の形状補正画面の一例である。
この台形歪み補正画面Ｐ７の操作領域Ａ３には、図１４において実線で示すように、対象プロジェクター２による投射画像のアスペクト比に応じた矩形Ｐ７１が設定され、当該矩形Ｐ７１の四隅は、移動可能なポイントＰ７１１となっている。また、当該操作領域Ａ３には、図１４において点線で示すように、ポイントＰ７１１の移動可能範囲を示す矩形Ｐ７２，Ｐ７３が矩形Ｐ７１の外側及び内側に表示されている。なお、上記投射画像のアスペクト比は、対象プロジェクター２から取得される。
また、外側の矩形Ｐ７２の下側には、上記カーソルキーＣＫＵ，ＣＫＤ，ＣＫＬ，ＣＬＲが設けられている。
【００７２】
このような台形歪み補正画面Ｐ７において、４つのポイントＰ７１１のうちのいずれかをドラッグすると、図１４において一点鎖線で示すように、表示制御部３４２が、取得されるポイントＰ７１１の移動方向及び移動量に応じて、矩形Ｐ７１の形状を変更する。例えば、図１４に示すように、右上のポイントＰ７１１を右上にドラッグすると、移動後のポイントＰ７１１の位置を頂点の１つとする場合の矩形Ｐ７１の形状が表される。
また、４つのポイントＰ７１１のうちのいずれかがタップされて選択された後、上記カーソルキーＣＫＵ，ＣＫＤ，ＣＫＬ，ＣＬＲが入力された場合でも、当該キーの入力回数及び入力時間に応じて、表示制御部３４２が、矩形Ｐ７１の形状を変更する。
【００７３】
このような表示変更に伴い、操作情報送信部３４５が、当該台形歪み補正画面Ｐ７での操作内容に応じた操作情報（選択されたポイントＰ７１１の位置、及び、当該ポイントＰ７１１の移動後の位置を含む操作情報）を生成し、当該操作情報を対象プロジェクター２に送信する。
このような操作情報が受信された対象プロジェクター２では、画像補正部２３５が、当該操作情報に基づいて、画像処理部２３４により描画された画像に対して台形補正処理を実施する。これにより、投射画像が適切に観察されるように、当該投射画像の形状を補正できる。
【００７４】
［弓形歪み補正操作］
図１５は、弓形歪み補正画面Ｐ８の一例を示す図である。
「弓形補正」と表記された項目キーＫ２が入力されると、表示制御部３４２により、図１５に示す弓形歪み補正画面Ｐ８が表示される。この弓形歪み補正画面Ｐ８は、対象プロジェクター２に弓形歪みを補正させるための画面であり、本発明の形状補正画面の一例である。
この弓形歪み補正画面Ｐ８の操作領域Ａ３には、図１５において実線で示すように、矩形の各辺を内側に湾曲させた形状の図形Ｐ８１が設定されている。この図形Ｐ８１の元となる矩形は、対象プロジェクター２による投射画像のアスペクト比に応じた矩形であり、当該アスペクト比は、対象プロジェクター２から取得される。このような図形Ｐ８１における各辺の中央には、当該辺に対する直交方向に移動可能なポイントＰ８１１が設定されている。また、当該操作領域Ａ８３における図形Ｐ８１の外側には、図１５において点線で示すように、ポイントＰ８１１の移動可能範囲を示す矩形Ｐ８２が表示される。
更に、当該矩形Ｐ８２の下側には、上記カーソルキーＣＫＵ，ＣＫＤ，ＣＫＬ，ＣＬＲが設けられている。
【００７５】
このような弓形歪み補正画面Ｐ８において、４つのポイントＰ８１１のうちのいずれかを、当該ポイントＰ８１１が位置する辺に対する直交方向にドラッグすると、図１５において一点鎖線で示すように、表示制御部３４２が、取得されるポイントＰ８１１の移動方向及び移動量に応じて、図形Ｐ８１の形状を変更する。例えば、図１５に示すように、右側のポイントＰ８１１を右方向にドラッグすると、移動後のポイントＰ８１１を通る辺が表示される。
また、４つのポイントＰ８１１のうちのいずれかがタップされて選択された後、上記カーソルキーＣＫＵ，ＣＫＤ，ＣＫＬ，ＣＬＲが入力された場合でも、当該キーの入力回数及び入力時間に応じて、表示制御部３４２が、図形Ｐ８１の形状を同様に変更する。
【００７６】
このような表示変更に伴い、操作情報送信部３４５が、当該弓形歪み補正画面Ｐ８での操作内容に応じた操作情報（選択されたポイントＰ８１１の位置、及び、当該ポイントＰ８１１の移動後の位置を含む操作情報）を生成し、当該操作情報を対象プロジェクター２に送信する。
このような操作情報が受信された対象プロジェクター２では、前述の台形歪み補正と同様に、画像補正部２３５が、当該操作情報に基づいて、画像処理部２３４により描画された画像に対して弓形補正処理を実施する。これにより、投射画像が適切に観察されるように、当該投射画像の形状を補正できる。
【００７７】
［面内歪み補正操作］
図１６は、面内歪み補正画面Ｐ９及び対象プロジェクター２による投射画像の一例を示す図である。
「ポイント補正」と表記された項目キーＫ２が入力されると、表示制御部３４２により、図１６に示す面内歪み補正画面Ｐ９が表示される。この面内歪み補正画面Ｐ９は、対象プロジェクター２の投射画像における局所的な歪みを補正させるための画面である。
この面内歪み補正画面Ｐ９の操作領域Ａ３には、図１６の右側に示すように、対象プロジェクター２による投射画像のアスペクト比に応じた図形である格子Ｐ９１が設定される。このアスペクト比は、対象プロジェクター２から取得される。
また、格子Ｐ９１の下側には、上記カーソルキーＣＫＵ，ＣＫＤ，ＣＫＬ，ＣＬＲが設けられている。
【００７８】
なお、面内歪み補正画面Ｐ９の表示時には、操作情報送信部３４５により、上記格子Ｐ９１と同じ画像を表示させる操作情報が、対象プロジェクター２に送信される。このため、図１６の左側に示すように、当該操作情報を受信した対象プロジェクター２は、格子Ｐ９１と同じ格子が設定された投射画像ＰＰを投射する。
【００７９】
このような面内歪み補正画面Ｐ９において、格子Ｐ９１を構成する複数の直線の交点には、ポイントが設定されている。これらポイントのうちのいずれかをタップして選択すると、当該ポイントが移動可能なポイントＰ９１１となる。
この選択操作の操作内容は、操作内容取得部３４３により取得され、当該操作内容に応じた操作情報が、操作情報送信部３４５により対象プロジェクター２に送信される。
このため、図１６における左側の投射画像ＰＰに示すように、ポイントＰ９１１に応じた位置がハイライト表示される。これにより、投射画像ＰＰにおけるポイントＰ９１１の位置を把握しやすくすることができ、当該投射画像ＰＰにおいて歪みが生じている位置に応じたポイントＰ９１１を選択しやすくすることができる。
【００８０】
図１７は、ポイントＰ９１１が移動された後の面内歪み補正画面Ｐ９の一例を示す図である。なお、図１７では、図１６におけるポイントＰ９１１を右側に移動した場合の面内歪み補正画面Ｐ９が示されている。
上記面内歪み補正画面Ｐ９において、ポイントＰ９１１のドラッグ、或いは、カーソルキーＣＫＵ，ＣＫＤ，ＣＫＬ，ＣＬＲの入力が実施されると、表示制御部３４２が、当該ポイントＰ９１１の移動後の位置に応じて、格子Ｐ９１を変形させる。
例えば、図１６に示した位置のポイントＰ９１１を右側に移動させる入力操作が行われると、図１７に示すように、ポイントＰ９１１を接続する直線が変形した格子Ｐ９１が表示される。また、当該入力操作の内容が取得され、当該内容に応じた操作情報が送信されることで、対象プロジェクター２は、図１７における左側の投射画像ＰＰに示すように、当該投射画像ＰＰに含まれる格子におけるポイントＰ９１１に応じた位置を、変形後の格子Ｐ９１と同様に変形させる。
【００８１】
そして、当該面内歪み補正画面Ｐ９に対する入力操作に応じた操作情報（ポイントＰ９１１の位置、及び、移動後のポイントＰ９１１の位置を含む操作情報）が、操作情報送信部３４５により、対象プロジェクター２に送信される。
このような操作情報を受信した対象プロジェクター２では、画像補正部２３５が、当該操作情報に基づいて、描画された画像に対してポイント歪み補正を実施する。これにより、被投射面に局所的な凹凸があるなどして、投射画像に局所的な歪みが生じた場合でも、当該歪みを解消でき、適切な画像を観察可能となる。
なお、図１７では、ポイントＰ９１１を、当該ポイントＰ９１１に隣り合う交点（格子Ｐ９１の交点）に達しない範囲で移動させている。しかしながら、当該ポイントＰ９１１の移動可能範囲は、当該範囲に限らず、隣り合う交点を超えて移動可能としてもよい。
【００８２】
［ブレンド領域設定操作］
図１８は、ブレンド領域設定画面ＰＡの一例を示す図である。
「ブレンディング」と表記された項目キーＫ２が入力されると、表示制御部３４２により、図１８に示すブレンド領域設定画面ＰＡが表示される。このブレンド領域設定画面ＰＡは、対象プロジェクター２の投射画像において他のプロジェクター２の投射画像と重なる領域（ブレンド領域）の寸法を調整して、当該ブレンド領域の輝度が他の領域の輝度より高くなることを抑制させるための画面である。
【００８３】
ここで、図１において示したように、本実施形態に係るマルチプロジェクションシステム１では、各プロジェクター２の投射画像ＰＰを互いに隣接する領域ＰＰＸにて重ね合わせることで、それぞれの投射画像の繋ぎ目を目立たなくさせている。
しかしながら、領域ＰＰＸは、複数のプロジェクター２の投射画像ＰＰを重畳させる領域であるので、当該領域ＰＰＸの輝度を調整しないと、他の領域より輝度が高くなって目立ってしまう。
一方、領域ＰＰＸの寸法は、画像の投射位置及びズーム状態等により変更され得る。このため、上記ブレンド領域設定画面ＰＡにて、各投射画像ＰＰにおいて他の投射画像と重ね合わされる領域の寸法を調整した上で、当該領域にブレンド処理（例えば、αブレンディング）を実施することで、各投射画像の繋ぎ目及び領域ＰＰＸを目立たなくすることができる。
【００８４】
このような目的のため、ブレンド領域設定画面ＰＡの操作領域Ａ３には、図１８に示すように、対象プロジェクター２から取得された投射画像のアスペクト比に応じた矩形ＰＡ１が設定される。また、当該矩形ＰＡ１の各辺ＰＡ１１の中央には、ポイントＰＡ１２がそれぞれ設定されている。これらポイントＰＡ１２は、矩形ＰＡ１の内側に向かって移動可能である。
また、矩形ＰＡ１の下側には、上記カーソルキーＣＫＵ，ＣＫＤ，ＣＫＬ，ＣＬＲが設けられている。
【００８５】
このようなブレンド領域設定画面ＰＡにおいて、４つのポイントＰＡ１２のうち、選択されたポイントＰＡ１２が、ドラッグにより、或いは、カーソルキーＣＫＵ，ＣＫＤ，ＣＫＬ，ＣＬＲの入力により移動されると、表示制御部３４２が、移動後のポイントＰＡ１２の位置に、当該ポイントＰＡ１２が設定された辺ＰＡ１１と平行な辺ＰＡ１３を新たに表示する。そして、表示制御部３４２は、ポイントＰＡ１２が移動される前の辺ＰＡ１１と、新たに表示された辺ＰＡ１３との間の領域ＰＡ１４をハイライト表示する。この領域ＰＡ１４が、上記ブレンド領域となる。
更に、表示制御部３４２は、ポイントＰＡ１２の移動量を示す表示ＰＡ２を、操作領域Ａ３内に設定する。この移動量は、ポイントＰＡ１２の移動量を投射画像の解像度に応じてピクセル単位で表した移動量である。なお、当該投射画像の解像度は、対象プロジェクター２から取得される。
【００８６】
このようなブレンド領域設定画面ＰＡに対する操作内容は、操作内容取得部３４３により取得され、当該操作内容に基づく操作情報（選択されたポイントＰＡ１２の位置、及び、移動後のポイントＰＡ１２の位置を含む操作情報）が、操作情報送信部３４５により、対象プロジェクター２に送信される。なお、操作情報送信部３４５は、ピクセル単位で表した前述のポイントＰＡ１２の移動量を、操作情報に含めて送信してもよい。
このような操作情報を受信した対象プロジェクター２では、画像補正部２３５が、操作情報に基づいて、描画された画像にブレンド領域を設定し、当該ブレンド領域に対して上記ブレンド処理を実施する。
そして、上記ポイントＰＡ１２の移動によるブレンド領域の設定操作（領域ＰＡ１４の設定操作）が、操作対象を切り替えて各プロジェクター２に対して行われ、当該各プロジェクター２にて上記ブレンド処理が実施されることで、各投射画像ＰＰ１〜ＰＰ４の繋ぎ目及び領域ＰＰＸを目立たなくすることができる。
【００８７】
［色調補正操作］
図１９は、色調補正画面ＰＢの一例を示す図である。
「マルチスクリーン」と表記された項目キーＫ２が入力されると、表示制御部３４２により、図１９の右側に示す色調補正画面ＰＢが表示される。この色調補正画面ＰＢは、各プロジェクター２の投射画像の輝度及び色調を補正して、各投射画像の輝度及び色調を均一に設定するための画面である。
この色調補正画面ＰＢの操作領域Ａ３には、図１９の右側に示すように、明るさを補正するスライドバーＰＢ１、緑及び赤の色調を補正するスライドバーＰＢ２、及び、青及び黄の色調を補正するスライドバーＰＢ３が縦方向に並んで設定されている。これら左右方向に延びるスライドバーＰＢ１〜ＰＢ３の左右には、それぞれカーソルキーＣＫＬ，ＣＫＲが配置されている。また、スライドバーＰＢ３の下方には、左右方向に沿って配列された複数の色調設定キーＰＢ４が設定されている。
【００８８】
これらのうち、複数の色調設定キーＰＢ４は、それぞれ同じ色調の画像を各プロジェクター２に投射させるためのソフトウェアキーであり、右側に向かうに従って色調が下がる（輝度が下がる）ように設定されている。このため、各色調設定キーＰＢ４には、当該キーＰＢ４が入力された場合に表示されるべき階調を示す画像が表記されている。
また、図示を省略するが、これら色調設定キーＰＢ４が選択されると、表示制御部３４２は、当該色調設定キーＰＢ４に設定された輝度及び色調を示す数値を表示する。
【００８９】
このような色調補正画面ＰＢにおいて、上記色調設定キーＰＢ４のいずれかが入力されると、入力された色調設定キーＰＢ４に設定された色調の画像を投射させる操作情報が、操作情報送信部３４５により各プロジェクター２に送信される。
このような操作情報を受信したプロジェクター２は、当該操作情報に応じた色調の画像を投射する。しかしながら、各プロジェクター２には個体差があるので、輝度及び色調の補正が実施されていない場合には、図１９の左側に示すように、各プロジェクター２の投射画像ＰＰ１〜ＰＰ４の輝度及び色調が同じとはならない場合がある。このため、各プロジェクター２の輝度及び色調を補正する必要がある。
【００９０】
図２０は、色調設定キーＰＢ４の入力後に対象選択キーＫ１が入力された場合に表示される操作対象選択画面Ｐ３及び各プロジェクター２Ａ〜２Ｄの投射画像ＰＰ１〜ＰＰ４を示す図である。
上記色調設定キーＰＢ４の入力後に、対象選択キーＫ１が入力されると、図２０に示すように、表示制御部３４２は、操作対象選択画面Ｐ３を表示させる。この操作対象選択画面Ｐ３にて、いずれかの図柄Ｐ３１がタップされて選択されると、前述のように、操作対象選択部３４９が、選択された図柄Ｐ３１に応じたプロジェクター２を操作対象として選択し、操作情報送信部３４５が、対象プロジェクター２に、操作対象に選択された旨の前述の表示を実施させる操作情報を送信する。これにより、対象プロジェクター２は、当該表示を実施する。
なお、図２０の右側に示した操作対象選択画面Ｐ３では、右下の図柄Ｐ３１が選択されているので、図２０の左側に示すように、当該図柄Ｐ３１の位置に応じたプロジェクター２Ｄにより上記表示が実施され、投射画像ＰＰ４が点滅する。
【００９１】
図２１は、操作対象の選択後に表示される色調補正画面ＰＢと、当該色調補正画面ＰＢにより輝度及び色調が補正された投射画像ＰＰ４とを示す図である。
対象プロジェクター２が選択されると、図２１に示すように、色調補正画面ＰＢが再び表示される。この色調補正画面ＰＢに設定されたスライドバーＰＢ１〜ＰＢ３の円形部分（スライダー）を左右方向に操作するか、或いは、各スライドバーＰＢ１〜ＰＢ３の左右に設けられたカーソルキーＣＫＬ，ＣＫＲを入力すると、操作内容取得部３４３により、当該色調補正画面ＰＢに対する操作内容が取得され、表示制御部３４２により、当該円形部分が左右方向に移動される。これとともに、操作情報送信部３４５が、当該操作内容に応じた操作情報（操作されたスライドバーに応じた調整項目、及び、当該調整項目の調整量を含む操作情報）を生成して、当該操作情報を対象プロジェクター２に送信する。
【００９２】
このような操作情報が受信された対象プロジェクター２では、当該操作情報に基づいて、画像補正部２３５が、描画された画像の輝度及び色調を補正する。
このような調整操作を色調補正画面ＰＢに対して行うことで、図２１の左側に示すように、対象プロジェクター２、すなわち、プロジェクター２Ｄの投射画像ＰＰ４の輝度及び色調を、他のプロジェクター２の投射画像ＰＰ（例えば、プロジェクター２Ｃの投射画像ＰＰ３）の輝度及び色調に合わせることができる。
そして、他のプロジェクター２を対象プロジェクター２とし、色調補正画面ＰＢにて上記調整操作を実施することで、全てのプロジェクター２の投射画像の輝度及び色調を均一化できる。
【００９３】
なお、図１９及び図２１の右側に示したように、本実施形態では、色調補正画面ＰＢの操作領域Ａ３には、明るさ（明度）を補正するスライドバーＰＢ１の他、緑及び赤の色調を補正するスライドバーＰＢ２と、青及び黄の色調を補正するスライドバーＰＢ３とが設定されている。しかしながら、これに限らず、色相や彩度を補正するスライドバーを設定してもよく、赤、緑及び青の各色成分を個別に補正するスライドバーを設けてもよい。また、上記色調を補正するオブジェクトは、スライドバーに限らず、例えば、数値を入力するオブジェクトとしてもよい。更には、各調整項目が選択された後に前述のフォーカス調整画面Ｐ６と同様の画面を表示して、当該画面に対する入力操作に応じて補正する構成としてもよい。
【００９４】
以上説明した本実施形態に係るマルチプロジェクションシステム１によれば、以下の効果を奏することができる。
すなわち、操作対象設定画面Ｐ２では、各プロジェクター２の配置に応じた設定領域Ｐ２１にアイコンＰ２２を移動させることで、当該設定領域Ｐ２１とプロジェクター２の識別情報との関連付けを行うことができる。そして、操作対象選択画面Ｐ３では、設定領域Ｐ２１にアイコンＰ２２が設定された状態を模した図柄Ｐ３１のうちのいずれかを選択することで、選択された図柄Ｐ３１に応じたプロジェクター２を操作対象として選択できる。これによれば、使用者が操作装置３に各プロジェクター２の識別情報を入力する手間を省くことができる他、操作対象のプロジェクター２の識別情報を覚えておく必要がない。従って、各プロジェクター２の操作を簡略化できる。
【００９５】
上記操作対象設定画面Ｐ２の表示時にアイコンＰ２２が操作されると、操作されたアイコンＰ２２に応じたプロジェクター２に、当該プロジェクター２が選択されていることを示す表示が実施される。これによれば、設定領域Ｐ２１との関連付けを行っているプロジェクター２がどのプロジェクター２であるのかを使用者が把握しやすくすることができる。従って、設定操作をより簡略化できる。
また、当該表示は、投射画像を点滅させる表示であるので、当該投射画像を表示しているプロジェクター２を確実に把握しやすくすることができる。
【００９６】
投影形式選択画面Ｐ１により、複数のプロジェクター２の配置を選択できるので、操作対象設定画面Ｐ２に含まれる設定領域Ｐ２１の位置を、各プロジェクター２の実際の配置状態に応じて設定できる。従って、各プロジェクター２の配置位置に応じた設定領域Ｐ２１と、当該各プロジェクター２との関連付けを確実に行うことができる他、操作したいプロジェクター２を操作対象として確実かつ簡易に選択できる。
【００９７】
色調補正画面ＰＢの色調設定キーＰＢ４が入力されると、同じ色調の画像が各プロジェクター２により投射される。この状態で、色調補正画面ＰＢのスライドバーＰＢ１〜ＰＢ３の操作及びカーソルキーＣＫＬ，ＣＫＲの入力を行うことにより、他の投射画像の輝度及び色調を確認しながら、対象プロジェクター２の投射画像の色調を個別に調整できる。従って、各プロジェクター２による投射画像の色調を簡易に揃えることができる。
【００９８】
ブレンド領域設定画面ＰＡに対する入力操作に応じて、選択されたポイントＰＡ１２の位置、及び、移動後の当該ポイントＰＡ１２の位置を含む操作情報（すなわち、ブレンド領域となる領域ＰＡ１４の位置及びサイズを示す操作情報）が、対象プロジェクター２に送信される。これによれば、使用者が、当該ブレンド領域設定画面ＰＡを見ながら、任意の位置に任意の大きさのブレンド領域を簡易に設定できる。従って、各プロジェクター２により、上記繋ぎ目及び領域ＰＰＸが目立たない画像を適切に投射できる。
【００９９】
台形歪み補正画面Ｐ７及び弓形歪み補正画面Ｐ８のポイントＰ７１１，Ｐ８１１を移動させることで、歪みを解消するために画像の形状を補正させる操作情報が、対象プロジェクター２に送信される。これによれば、使用者が、投射画像を観察しながら、当該投射画像において補正が必要な部位に応じたポイントＰ７１１，Ｐ８１１を移動させることで、当該投射画像の形状を補正させるための操作を簡易に行うことができる。従って、当該投射画像の形状補正操作を簡易に実施できるとともに、投射画像を適切な形状に補正できる。
【０１００】
面内歪み補正画面Ｐ９の表示時に、投射画像において歪みが生じている部位に応じたポイントＰ９１１を移動することで、当該入力操作に応じた操作情報が、対象プロジェクター２に送信される。これによれば、使用者が、投射画像において歪みが生じている部位を確認し、当該部位に応じた位置のポイントＰ９１１を、歪みが解消される方向に移動させることで、投射画像に生じた歪みを解消できる。従って、歪みを補正する入力操作を簡易に実施できる。
また、面内歪み補正画面Ｐ９には格子Ｐ９１が設定され、当該格子Ｐ９１と同じ格子が対象プロジェクター２により投射されるので、歪みが生じている部位に応じたポイントを簡易かつ適切に選択できる。
【０１０１】
［実施形態の変形］
本発明は前述の実施形態に限定されるものではなく、本発明の目的を達成できる範囲での変形、改良等は本発明に含まれるものである。
前記実施形態では、項目選択領域Ａ２に配置された項目キーＫ２が入力されると、上記各操作画面Ｐ４〜Ｐ９，ＰＡ，ＰＢが表示され、入力された項目キーＫ２に応じた項目の調整操作を実施できるとしたが、本発明はこれに限らない。すなわち、当該各操作画面Ｐ４〜Ｐ９，ＰＡ，ＰＢに加えて、他の項目を調整可能な操作画面を表示できるように構成してもよく、いずれかの項目キーＫ２に応じた項目の調整はできないように構成してもよい。
【０１０２】
前記実施形態では、表示手段３１に表示される画面の一例として、各画面Ｐ１〜Ｐ９，ＰＡ，ＰＢを挙げたが、これら画面のレイアウト及び表示内容は、上記の構成に限定されない。すなわち、当該各画面にて設定及び調整される項目に応じて、適宜変更してもよい。例えば、一部の表示及び機能は無くてもよく、操作状態を使用者が把握しやすくなるように、他の表示を加えてもよい。具体例として、プロジェクターを模した図柄としてのアイコンＰ２２に代えて、他の図柄を採用してもよく、更には、他と区別可能な図柄をプロジェクター２ごとに採用してもよい。
【０１０３】
前記実施形態では、操作装置３は、操作プログラムを実行する多機能携帯電話により実現したが、本発明はこれに限らない。すなわち、当該操作プログラムを実行するＰＣや携帯端末（例えば、タブレット端末等）により実現してもよい。更に、専用の操作装置３として構成してもよい。
前記実施形態では、表示手段３１と操作手段３２とをタッチパネルで構成したが、本発明はこれに限らず、これらを分離してもよい。例えば、操作手段を物理的なボタンで構成してもよく、ポインティングデバイスとしてもよい。
【０１０４】
前記実施形態では、操作装置３において、外部機器としてのプロジェクター２を操作するための操作プログラムは、記憶部３４１に記憶されているとしたが、本発明はこれに限らない。例えば、光ディスク、ハードディスク装置及び半導体メモリー等の記録媒体に記録された操作プログラムを適宜読み出す構成としてもよい。また、予め記憶部３４１に記憶されていなくてもよく、例えば、ネットワーク上のサーバー等から操作プログラムを取得して記憶してもよい。すなわち、操作プログラムは、当該ネットワーク上の構成から提供されてもよい。
【０１０５】
前記実施形態では、操作装置３は、マルチプロジェクションシステム１を構成するプロジェクター２を操作対象とした。しかしながら、当該操作装置３は、単独で用いられるプロジェクター２を操作対象としてもよく、プロジェクター２以外の外部機器を操作対象としてもよい。例えば、マルチディスプレイシステムを構成する複数のディスプレイを操作対象としてもよい。
また、マルチプロジェクションシステム１を構成するプロジェクター２の数も４台に限らず、２台以上であればよい。
【産業上の利用可能性】
【０１０６】
本発明は、操作装置に適用でき、例えば、マルチプロジェクションシステムを構成する複数のプロジェクターを操作する操作装置に好適に適用できる。
【符号の説明】
【０１０７】
１…マルチプロジェクションシステム、２（２Ａ〜２Ｄ）…プロジェクター、３…操作装置、３４２…表示制御部（設定画面表示部）、３４６…機器情報取得部（識別情報取得部）、３４８…関連付け部、３４９…操作対象選択部、Ｐ１…投影形式選択画面（選択画面）、Ｐ２…操作対象設定画面（設定画面）、Ｐ７…台形歪み補正画面（形状補正画面）、Ｐ８…弓形歪み補正画面（形状補正画面）、Ｐ９…面内歪み補正画面、ＰＡ…ブレンド領域設定画面、ＰＢ…色調補正画面、Ｐ２１…設定領域、Ｐ２２…アイコン（図柄）。
【図１】
2014107713.tif 000003
【図２】
2014107713.tif 000004
【図３】
2014107713.tif 000005
【図４】
2014107713.tif 000006
【図５】
2014107713.tif 000007
【図６】
2014107713.tif 000008
【図７】
2014107713.tif 000009
【図８】
2014107713.tif 000010
【図９】
2014107713.tif 000011
【図１０】
2014107713.tif 000012
【図１１】
2014107713.tif 000013
【図１２】
2014107713.tif 000014
【図１３】
2014107713.tif 000015
【図１４】
2014107713.tif 000016
【図１５】
2014107713.tif 000017
【図１６】
2014107713.tif 000018
【図１７】
2014107713.tif 000019
【図１８】
2014107713.tif 000020
【図１９】
2014107713.tif 000021
【図２０】
2014107713.tif 000022
【図２１】
2014107713.tif 000023